(57)【要約】【課題】質感を向上でき受信性能の低下を防止できるアンテナ内蔵携帯機器を提供する。【解決手段】アンテナ内蔵携帯機器であるリスト機器１は、少なくとも表面側に開口を有する外装ケース２と、開口を塞ぐガラス１３と、外装ケース２の表面に取り付けられて、ガラス１３の周囲に配置される金属製のベゼル１６と、外装ケース２の内側の空間に配置されるアンテナ３０とを備える。アンテナ３０は、最大放射方向Ｒ１が、外装ケース２の厚さ方向Ａ１と交差しかつベゼル１６の外側に向かう方向に配置される平面アンテナである。アンテナ３０は、ベゼル１６に対してアンテナ３０の最大放射方向Ｒ１に重ならない位置に配置される。アンテナ３０の少なくとも一部は、ベゼル１６の少なくとも一部に対して外装ケース２の厚さ方向Ａ１に重なる。【選択図】図３
2015081825.tif 000002
【特許請求の範囲】
【請求項１】
少なくとも表面側に開口を有する外装ケースと、
前記開口を塞ぐ透光性部材と、
前記外装ケースの表面に取り付けられて、前記透光性部材の周囲に配置される金属製のベゼルと、
前記外装ケースの内側の空間に配置されるアンテナと、を備え、
前記アンテナは、最大放射方向が、前記外装ケースの厚さ方向と交差しかつ前記ベゼルの外側に向かう方向に配置された平面アンテナであり、
前記アンテナは、前記ベゼルに対して前記アンテナの最大放射方向に重ならない位置に配置され、
前記アンテナの少なくとも一部は、前記ベゼルの少なくとも一部に対して前記外装ケースの厚さ方向に重なる
ことを特徴とするアンテナ内蔵携帯機器。
【請求項２】
請求項１に記載のアンテナ内蔵携帯機器において、
前記アンテナは、前記ベゼルに対する前記最大放射方向に直交する方向の最小の隙間寸法である第１隙間寸法が、予め設定された第１寸法以上となる位置に配置されている
ことを特徴とするアンテナ内蔵携帯機器。
【請求項３】
請求項１または請求項２に記載のアンテナ内蔵携帯機器において、
前記アンテナは、前記ベゼルに対する前記外装ケースの厚さ方向の最小の隙間寸法である第２隙間寸法が、予め設定された第２寸法以下となる位置に配置されている
ことを特徴とするアンテナ内蔵携帯機器。
【請求項４】
請求項１から請求項３のいずれかに記載のアンテナ内蔵携帯機器において、
前記アンテナは、アンテナ基板と、アンテナ基板に取り付けられたアンテナ本体とで構成され、
前記アンテナ本体は直方体形状とされ、前記アンテナ基板に取り付けられる取付面と、前記取付面と平行な放射面と、前記取付面および前記放射面の各４つの辺間に配置された４つの側面とを備え、
前記放射面の４つの辺のうちの一辺は、前記ベゼルと前記外装ケースの厚さ方向に重なる位置に配置されている
ことを特徴とするアンテナ内蔵携帯機器。
【請求項５】
請求項１から請求項４のいずれかに記載のアンテナ内蔵携帯機器において、
前記アンテナの最大放射方向は、前記外装ケースの厚さ方向に対して４０度以上、５０度以下の角度である
ことを特徴とするアンテナ内蔵携帯機器。
【請求項６】
請求項１から請求項５のいずれかに記載のアンテナ内蔵携帯機器において、
前記透光性部材の裏面側には、情報を表示する表示パネルが配置され、
前記ベゼルの外周縁から前記最大放射方向に沿って延長した延長線を定義した場合に、前記表示パネルの外周縁のうち前記アンテナに対向する部分は、前記延長線よりも前記アンテナ側に突出しない
ことを特徴とするアンテナ内蔵携帯機器。
【発明の詳細な説明】
【技術分野】
【０００１】
本発明は、アンテナを内蔵するアンテナ内蔵携帯機器に関する。
【背景技術】
【０００２】
従来、アンテナ内蔵携帯機器として、ＧＰＳ（Global Positioning System）衛星から送信される衛星信号を受信し、現在位置を計測可能な電子腕時計が知られている（特許文献１参照）。
この電子腕時計は、時刻や現在位置などの情報を表示する液晶パネル部と、衛星信号を受信するアンテナ部とを有する。アンテナ部は、円偏波の電波である衛星信号を受信するパッチアンテナで構成されている。また、電子腕時計の外装ケースは、アンテナ部での受信感度を確保するためにプラスチック（ポリカーボネート樹脂）で構成している。
【０００３】
前記外装ケースの内部の空間には、電子腕時計の表面側からガラス、液晶パネル部、配線基板、アンテナ部、電池、裏蓋の順で配置されている。
前記アンテナ部は、液晶パネル部および配線基板と同じ大きさに形成している。これにより、液晶パネル部がアンテナ部に対して庇状に張り出す構成になることを防止し、アンテナ部の受信性能の低下を防止している。
【先行技術文献】
【特許文献】
【０００４】
【特許文献１】特開２０１３−６１３０８号公報
【発明の概要】
【発明が解決しようとする課題】
【０００５】
しかしながら、前記特許文献１の電子腕時計は、外装ケースがプラスチック製であるため、腕時計の質感向上が制約されるという課題がある。例えば、一般的な腕時計では、ガラスの周囲に配置されるベゼルを金属製とすることで、腕時計の表面デザインを、金属調の高級感があるものにできる。
しかしながら、前記特許文献１の電子腕時計において金属製のベゼルを配置すると、前記アンテナ部の外周側に金属製ベゼルが庇状に張り出す構成となるため、アンテナ部の受信性能が低下するという課題がある。
このような課題は、電子腕時計に限らず、ウォーキング、ランニング、サイクリング、登山等の移動経路を記録する携帯機器など、アンテナ内蔵携帯機器に共通する課題である。
【０００６】
本発明の目的は、質感を向上でき、受信性能の低下を防止できるアンテナ内蔵携帯機器を提供することにある。
【課題を解決するための手段】
【０００７】
本発明のアンテナ内蔵携帯機器は、少なくとも表面側に開口を有する外装ケースと、前記開口を塞ぐ透光性部材と、前記外装ケースの表面に取り付けられて、前記透光性部材の周囲に配置される金属製のベゼルと、前記外装ケースの内側の空間に配置されるアンテナと、を備え、前記アンテナは、最大放射方向が、前記外装ケースの厚さ方向と交差しかつ前記ベゼルの外側に向かう方向に配置された平面アンテナであり、前記アンテナは、前記ベゼルに対して前記アンテナの最大放射方向に重ならない位置に配置され、前記アンテナの少なくとも一部は、前記ベゼルの少なくとも一部に対して前記外装ケースの厚さ方向に重なることを特徴とする。
【０００８】
本発明において、外装ケースは、ケース本体と裏蓋とを別体で構成したものでも良いし、一体で構成したワンピースタイプのケースでもよい。また、前記アンテナは、ＧＰＳ信号などの衛星信号を受信可能なマイクロストリップアンテナ（パッチアンテナ）のような平面アンテナで構成されている。
本発明によれば、アンテナの最大放射方向が外装ケースの厚さ方向に交差してベゼルの外側に向かう方向に配置されているので、例えば、アンテナ内蔵携帯機器を利用者の腕に装着して使用した場合に、アンテナの最大放射方向が上空方向に向くことが多くなる。このため、アンテナは、最大放射方向に位置するＧＰＳ衛星から送信される衛星信号を直接受信することができ、受信感度を向上できる。
また、アンテナは、金属製のベゼルとは前記最大放射方向に重ならない位置に配置されている。このため、最大放射方向から送信される衛星信号が、金属製のベゼルで遮られることを防止できるので、アンテナでの受信感度を向上できる。
さらに、アンテナとベゼルの少なくとも一部は、外装ケースの厚さ方向に重なっているため、厚さ方向からアンテナに入射される電波を、金属製のベゼルで遮断することができる。このため、ビル等で反射されて水平に近い角度でアンテナ内蔵携帯機器に入射される衛星信号を受信することを抑制できるので、マルチパスの発生を抑制でき、衛星信号の受信によって取得できる位置情報の精度も向上できる。
さらに、アンテナ内蔵携帯機器の表面において、ガラスやプラスチックなどで構成される透光性部材の周囲に金属製のベゼルを配置しているので、透光性部材の周囲に高級感ある金属調のリングを配置でき、アンテナ内蔵携帯機器のデザイン性を向上できる。
【０００９】
本発明のアンテナ内蔵携帯機器において、前記アンテナは、前記ベゼルに対する前記最大放射方向に直交する方向の最小の隙間寸法である第１隙間寸法が、予め設定された第１寸法以上となる位置に配置されていることが好ましい。
【００１０】
ここで、前記第１隙間寸法とは、例えばリング状のベゼルと、直方体形状のアンテナとの間で、前記最大放射方向に直交する方向で最も近接した部分の隙間寸法を意味する。また、前記第１寸法は例えば１ｍｍ以上に設定することが好ましい。
本発明では、前記第１隙間寸法を第１寸法以上に設定しているので、金属製のベゼルの影響による受信感度の劣化をより抑制でき、例えばＧＰＳ信号を受信するために必要な受信性能を確保できる。
【００１１】
本発明のアンテナ内蔵携帯機器において、前記アンテナは、前記ベゼルに対する前記外装ケースの厚さ方向の最小の隙間寸法である第２隙間寸法が、予め設定された第２寸法以下となる位置に配置されていることが好ましい。
【００１２】
ここで、前記第２隙間寸法とは、例えばリング状のベゼルと、直方体形状のアンテナとの間で、前記外装ケースの厚さ方向で最も近接した部分の隙間寸法を意味する。また、前記第２寸法は、通常第１寸法よりも大きくなり、例えば３．０ｍｍ以下に設定することが好ましい。
本発明では、前記第２隙間寸法を第２寸法以下に設定しているので、金属製のベゼルとアンテナとの隙間が著しく大きくなることを防止できる。このため、ビル等で反射された衛星信号の受信を遮断するベゼルの効果が低下することを防止できる。従って、マルチパスの影響を低減できる。
【００１３】
本発明のアンテナ内蔵携帯機器において、前記アンテナは、アンテナ基板と、アンテナ基板に取り付けられたアンテナ本体とで構成され、前記アンテナ本体は直方体形状とされ、前記アンテナ基板に取り付けられる取付面と、前記取付面と平行な放射面と、前記取付面および前記放射面の各４つの辺間に配置された４つの側面とを備え、前記放射面の４つの辺のうちの一辺は、前記ベゼルと前記外装ケースの厚さ方向に重なる位置に配置されていることが好ましい。
【００１４】
本発明によれば、前記放射面の一辺と前記ベゼルとの間に、前記第１隙間寸法および第２隙間寸法を設定できる。そして、本発明によれば、前記第１隙間寸法を第１寸法以上に設定した際に、第２隙間寸法を最も小さな寸法に設定することが可能となる。従って、受信感度の劣化の抑制効果と、マルチパスの影響の低減効果を容易に両立できて、受信性能を向上できる。
【００１５】
本発明のアンテナ内蔵携帯機器において、前記アンテナの最大放射方向は、前記外装ケースの厚さ方向に対して４０度以上、５０度以下の角度であることが好ましい。
【００１６】
本発明によれば、外装ケース内でアンテナが専有する平面方向の寸法と、厚さ方向の寸法とをバランスできる。このため、一方の寸法が増大して、外装ケースのサイズや厚さが大型化することを防止できる。従って、本発明のアンテナ内蔵携帯機器は、利用者の手首に装着するリスト機器として適切なサイズに設計できる。
【００１７】
本発明のアンテナ内蔵携帯機器において、前記透光性部材の裏面側には、情報を表示する表示パネルが配置され、前記ベゼルの外周縁から前記最大放射方向に沿って延長した延長線を定義した場合に、前記表示パネルの外周縁のうち前記アンテナに対向する部分は、前記延長線よりも前記アンテナ側に突出しないことが好ましい。
【００１８】
表示パネルとしては、液晶パネルや有機ＥＬパネル（organic electroluminescence panel）等の薄型で低消費電力のディスプレイパネルが利用できる。
このような表示パネルには、ＩＴＯ（Indium Tin Oxide)電極などの金属部分を有する場合が多い。このため、表示パネルの外周縁において、アンテナに対向する部分を、前記定義された延長線よりもアンテナ側に突出すると、表示パネルおよびアンテナ間において前記最大放射方向に直交する方向で最も近接した部分の隙間寸法が、前記第１隙間寸法よりも小さくなる。この場合、表示パネルの金属部分の影響で、アンテナにおける受信性能が低下する虞がある。
一方、本発明によれば、前記表示パネルおよびアンテナ間の隙間寸法が、前記第１隙間寸法よりも小さくなることを防止できるため、表示パネルの金属部分の影響を低減でき、アンテナにおける受信性能を確保できる。
【図面の簡単な説明】
【００１９】
【図１】本発明の実施形態のリスト機器を利用者の腕に装着した状態を示す図。
【図２】前記リスト機器の表面側を示す正面図。
【図３】前記リスト機器の断面図。
【図４】前記リスト機器の分解斜視図。
【図５】前記リスト機器の表示部、スペーサー、回路基板、回路ケース、アンテナを示す分解斜視図。
【図６】前記リスト機器のスペーサーおよびアンテナを示す分解斜視図。
【図７】アンテナ本体およびベゼル間の第１隙間寸法Ｈ１とリターンロスとの関係を示すグラフ。
【図８】前記第１隙間寸法Ｈ１と周波数帯域との関係を示すグラフ。
【図９】前記第１隙間寸法Ｈ１と上半球効率との関係を示すグラフ。
【図１０】前記第１隙間寸法Ｈ１と円偏波の軸比との関係を示すグラフ。
【発明を実施するための形態】
【００２０】
以下、本発明のアンテナ内蔵携帯機器の実施形態であるリスト機器１を図面に基づいて説明する。
本実施形態のリスト機器１は、図１に示すように、ユーザーの手首に装着される腕時計形の機器であり、上空にある数個のＧＰＳ衛星１００から送信される衛星信号（ＧＰＳ信号）をＧＰＳ受信機で受信し、現在の位置を知るＧＰＳ機能を内蔵する。
これにより、リスト機器１は、ＧＰＳ信号の位置情報と時間により、例えばランニング時に走った距離・速度や経路を自動で測定することができ、ユーザーの運動を支援できる。
【００２１】
［リスト機器の構成］
リスト機器１は、図２〜４にも示すように、外装ケース２と、バンド３とを備える。なお、リスト機器１において、時刻や測定データを視認する側を表面側、腕に装着される側を裏面側とする。また、リスト機器１の表面において、表示された情報を見た際に上側を１２時側、下側を６時側とする。これは、一般的なアナログ式の腕時計における時刻表示に合わせたものである。そして、リスト機器１の裏面側および表面側を結ぶ方向（図３に示す矢印Ａ１の方向）をリスト機器１の厚さ方向Ａ１とする。
【００２２】
［外装ケースの構成］
外装ケース２は、ケース本体１１と裏蓋１２とを備える。ケース本体１１は、ポリカーボネート樹脂などのプラスチック製であり、略円筒状に形成されている。裏蓋１２は、ケース本体１１において、リスト機器１が装着される腕側である裏面側に取り付けられ、その裏面側の開口を塞いでいる。裏蓋１２は、ケース本体１１と同様のプラスチック製でもよいし、ステンレススチールなどの金属製でもよい。
また、外装ケースとしては、ケース本体１１と裏蓋１２とを一体に形成したワンピースタイプのものを利用してもよい。
【００２３】
ケース本体１１つまり外装ケース２の表面側の開口には、本発明の透光性部材であるガラス（風防）１３が取り付けられている。このガラス１３を支持するため、図３に示すように、ケース本体１１の表面側の開口の内周面には、開口内側に突出する突起部１１１が形成されている。さらに、ケース本体１１の表面には、前記開口の内周面に連続する内周面を有し、リスト機器１の表面側に向かって突出する円周状の突条部１１２が形成されている。
突起部１１１の表面側には、ガラス１３の支持リング１４が係止されている。
支持リング１４の表面側には、前記ガラス１３が載置されている。ガラス１３と突条部１１２との間には、リング状のパッキン１５が配置されている。
このため、ケース本体１１の突起部１１１に支持リング１４を配置した後、パッキン１５を介してガラス１３を突条部１１２内に圧入することで、ガラス１３がケース本体１１に取り付けられる。なお、透光性部材としては、ガラス製に限らず、プラスチック製でもよく、ユーザーが透光性部材の表面側から裏面側（後述する表示部２０）を視認できる板状の部材であればよい。
【００２４】
ケース本体１１の表面側には、ベゼル１６が取り付けられている。ベゼル１６は、ステンレススチールやチタンなどの金属製であり、リング状に形成されている。また、ベゼル１６の裏面には、前記突条部１１２の外周面に圧入される溝部１６１が形成されている。溝部１６１の内周面の直径は、前記突条部１１２の外周面の直径とほぼ同じ寸法とされている。このため、ガラス１３を圧入することで、突条部１１２が外周側に変形しようとした場合でも、金属製のベゼル１６を予め突条部１１２に圧入して装着しておくことで、突条部１１２の変形を防止できる。すなわち、ベゼル１６は、ガラス１３をケース本体１１に圧入固定することを補強する機能も有する。
そして、ベゼル１６によって突条部１１２が外周側に変形することを防止できるので、前記パッキン１５は、ガラス１３および突条部１１２間に隙間無く配置され、必要な防水性を確保できる。
【００２５】
［リスト機器の内部構造］
ケース本体１１および裏蓋１２間の内部空間（外装ケース２の内部空間）には、図４，５に示すように、ガラス１３側（表面側）から裏蓋１２側（裏面側）に向かって順に、表示部２０、スペーサー２５、回路基板２６、回路ケース２７が配置されている。また、外装ケース２の内部空間において、表示部２０、回路基板２６、回路ケース２７の側方には、アンテナ３０が配置されている。アンテナ３０は、図２に示すように、リスト機器１の表面中心に位置する表示部２０に対し、一方のバンド３側（腕時計における６時側）に配置されている。
【００２６】
表示部２０は、バックライト付きの液晶パネル２１と、液晶パネル２１を保持するパネル枠２２とを備えている。液晶パネル２１は、フレキシブル基板２３を介して回路基板２６に接続されている。パネル枠２２は、プラスチックなどの非導電性部材で構成されている。
【００２７】
スペーサー２５は、プラスチックなどの非導電性部材で構成され、パネル枠２２と回路基板２６との間に配置されている。スペーサー２５の表面（ガラス１３側の面）には複数のフック２５１が突出して形成され、このフック２５１によって前記表示部２０のパネル枠２２を保持している。
【００２８】
回路基板２６は、表示部２０の表示を制御したり、アンテナ３０で受信した衛星信号を処理する各種ＩＣ等が実装されている。
回路ケース２７は、プラスチックなどの非導電性部材で構成され、二次電池２８や振動モーター２９等を保持している。また、回路ケース２７の上面には、複数のフック２７１が突出して形成されている。そして、スペーサー２５および回路ケース２７間に回路基板２６を挟んだ状態で、前記フック２７１を前記スペーサー２５に係合することで、スペーサー２５、回路基板２６、回路ケース２７は一体化されている。
【００２９】
［アンテナの保持構造］
図５，６に示すように、スペーサー２５および回路ケース２７の対向面には、リスト機器１の厚さ方向に対して４０度以上、５０度以下の範囲の角度で傾斜する傾斜面２５２，２７２が形成されている。本実施形態では、傾斜面２５２，２７２の角度は４５度に設定されている。そして、前記スペーサー２５および回路ケース２７を一体化した際に、前記傾斜面２５２，２７２間にアンテナ３０のアンテナ基板３２を挟むことで、アンテナ３０を保持している。
特に、アンテナ基板３２の両側面には、側方に突出する突起３２１が形成されており、前記スペーサー２５にはこの突起３２１の傾斜方向下側の端面が当接する壁部２５３が形成されている。このため、アンテナ３０は、前記傾斜面２５２，２７２に沿った方向の位置が規制されている。従って、アンテナ３０は、スペーサー２５および回路ケース２７によって、ケース本体１１に対して所定の位置（後述する第１隙間寸法Ｈ１、第２隙間寸法Ｈ２が設定値とされた位置）に保持されている。
【００３０】
［アンテナの構成］
アンテナ３０は、ＧＰＳ用のアンテナチップで構成されたアンテナ本体３１と、このアンテナ本体３１が実装されたアンテナ基板３２とを備えている。従って、アンテナ３０は、アンテナ本体３１およびアンテナ基板３２を有し、ＧＰＳ衛星１００から送信されるＧＰＳ信号を受信するアンテナモジュールで構成されている。アンテナ基板３２は、同軸ケーブル３３を介して回路基板２６に接続されている。
アンテナ本体３１は、直方体形状の平面アンテナであるマイクロストリップアンテナ（パッチアンテナ）で構成されている。アンテナ本体３１は、アンテナ基板３２側からケース本体１１に向かって、図示しないグランド電極、誘電体層、放射電極の順に積層されている。このため、アンテナ３０は指向性を有し、アンテナ３０の最大放射方向Ｒ１は、図３に示すように、アンテナ基板３２の平面つまり放射電極の面に直交する方向である。
【００３１】
［アンテナの配置位置］
前記アンテナ３０は、前述の通り、スペーサー２５、回路ケース２７で位置決めされているため、ケース本体１１に対して所定の位置に配置されている。
すなわち、図２，３に示すように、アンテナ本体３１は、リスト機器１のガラス１３側（リスト機器１の表面側）から視認する平面視において、液晶パネル２１とは重ならず、ベゼル１６とは重なる位置に配置されている。すなわち、アンテナ本体３１は、リスト機器１の厚さ方向Ａ１において、前記液晶パネル２１に重ならない位置（液晶パネル２１の外周側）に配置されている。すなわち、アンテナ３０は、リスト機器１の液晶パネル２１に対して、バンド３が接続される１２時方向および６時方向のうち、６時方向にずれて配置されている。
また、アンテナ本体３１の少なくとも一部は、ベゼル１６の一部（リスト機器１の６時側の一部分）に対して、前記厚さ方向Ａ１に重なっている。具体的には、直方体形状のアンテナ本体３１において、アンテナ基板３２に対向する面（取付面）と反対側の面（放射面３１１）の４つの辺のうちの一辺３１１１が前記ベゼル１６と重なる位置に配置されている。すなわち、一辺３１１１は、アンテナ本体３１においてガラス１３に対向する側面３１３と前記放射面３１１との交差線である。
なお、アンテナ本体３１の放射面３１１は、厚さ方向Ａ１に対して４０度以上、５０度以下、具体的には４５度の角度で傾斜している。従って、前記最大放射方向Ｒ１も厚さ方向Ａ１に対して４５度の角度（４０度以上、５０度以下の角度）に設定される。
そして、アンテナ本体３１の放射面３１１のうち、最もガラス１３側に近接する一辺３１１１が、前記ベゼル１６と厚さ方向Ａ１方向に重なっている。従って、ベゼル１６とアンテナ本体３１とは、リスト機器１の表面側から視認する平面視で重なっている。
【００３２】
［第１隙間寸法Ｈ１の設定］
アンテナ本体３１は、ベゼル１６に対して、最大放射方向Ｒ１には重ならない位置に配置されている。すなわち、アンテナ本体３１とベゼル１６間の図３に示す第１隙間寸法Ｈ１は、第１寸法以上に設定されている。第１隙間寸法Ｈ１は、前記最大放射方向Ｒ１に直交する方向Ｒ２において、アンテナ本体３１およびベゼル１６間の最小の隙間寸法である。具体的には、アンテナ本体３１の一辺３１１１と、ベゼル１６の外周縁との間の方向Ｒ２の隙間寸法が第１隙間寸法Ｈ１である。
また、前記第１寸法は１ｍｍに設定されている。この第１寸法は、後述する実験例により検証したものである。
【００３３】
［第２隙間寸法Ｈ２の設定］
アンテナ本体３１は、ベゼル１６に対して、前記厚さ方向Ａ１の最小の隙間寸法である第２隙間寸法Ｈ２が第２寸法以下となる位置に配置されている。ここで、第２寸法は、第１寸法以上となり、本実施形態では３．０ｍｍに設定している。すなわち、第２隙間寸法Ｈ２は、例えば、１．３ｍｍ以上、３．０ｍｍ以下の範囲で設定され、例えば、２．５ｍｍに設定される。
なお、本実施形態では、アンテナ本体３１の一辺３１１１が最もベゼル１６に近接するため、前記第２隙間寸法Ｈ２は、一辺３１１１とベゼル１６の裏面（裏蓋１２側の面）との間の厚さ方向Ａ１の隙間寸法である。
【００３４】
さらに、アンテナ本体３１と、液晶パネル２１との方向Ｒ２の間隔は、前記第１隙間寸法Ｈ１以上とされている。すなわち、ベゼル１６の外周縁を通り、最大放射方向Ｒ１に沿った方向の延長線を設定した場合、前記ベゼル１６はこの延長線よりも前記アンテナ本体３１側に突出しない構成とされている。従って、液晶パネル２１のＩＴＯ（Indium Tin Oxide)電極等の金属部分は、金属製のベゼル１６と同様に、アンテナ本体３１に対して最大放射方向Ｒ１方向に直交する方向Ｒ２に第１隙間寸法Ｈ１以上離れていることになる。
【００３５】
［本実施形態の作用効果］
このような構成のリスト機器１は、図１に示すように、腕時計と同様に、利用者の腕に装着して使用される。この際、アンテナ３０がリスト機器１の６時側に配置され、かつ、最大放射方向Ｒ１は厚さ方向Ａ１に対して傾斜（交差）する方向であり、ベゼル１６の外側に向かう方向に設定されている。
このため、ランニングやウォーキング時には、前記アンテナ３０の最大放射方向Ｒ１が上空方向に向くことが多くなる。このため、アンテナ３０は、最大放射方向Ｒ１に位置するＧＰＳ衛星１００から送信される衛星信号を直接受信することができ、受信感度を向上できる。
【００３６】
また、アンテナ本体３１は、前記最大放射方向Ｒ１に直交する方向Ｒ２のベゼル１６との第１隙間寸法Ｈ１が第１寸法（１ｍｍ）以上とされ、アンテナ本体３１とベゼル１６とは前記最大放射方向Ｒ１に重ならない位置に配置されている。このため、最大放射方向Ｒ１から送信されてアンテナ本体３１で受信される衛星信号が、金属製のベゼル１６で遮られることがなく、アンテナ本体３１での受信感度を向上できる。
特に、前記第１隙間寸法Ｈ１を１ｍｍ以上に設定することで、図７〜１０に示すように、アンテナ３０の受信性能を確保できる。図７〜１０の横軸は、アンテナ３０および金属製のベゼル１６間の第１隙間寸法Ｈ１を示す。従って、第１隙間寸法Ｈ１がマイナス値とは、アンテナ本体３１の一部とベゼル１６とが最大放射方向Ｒ１に重なっていることを示す。
図７はアンテナ３０の損失を示すリターンロスを表し、低い値ほど性能が良い。図８は、リターンロスが−１０ｄＢ以下となる周波数帯域を示す。ＧＰＳ信号で使用される電波の周波数が１．５７ＧＨｚであるのに対し、その帯域は５ＭＨｚ以上であれば使用上問題が無い。図９は、上半球効率を示し、腕に装着したときの衛星方向の半球部の感度の平均値を示す。図１０は円偏波の軸比を示している。
図７〜１０に示すように、いずれの特性に対しても、金属製のベゼル１６とアンテナ３０（アンテナ本体３１）との第１隙間寸法Ｈ１が１ｍｍ以上であれば、感度劣化も低く十分な性能が確保できることが確認できた。
さらに、ベゼル１６だけでなく、液晶パネル２１に対して、アンテナ本体３１は第１隙間寸法Ｈ１以上離れて配置されているので、液晶パネル２１の金属製のＩＴＯ電極などがアンテナ３０における受信感度に影響することも防止できる。
従って、ＧＰＳ信号を受信して位置情報を取得するリスト機器１として必要な受信感度を確保できる。
【００３７】
アンテナ本体３１とベゼル１６の一部は、厚さ方向Ａ１には重なっている。このため、厚さ方向Ａ１からリスト機器１に入射される電波を、金属製のベゼル１６で遮断することができ、アンテナ本体３１での受信を防止できる。すなわち、ランニングなどを行っている際に、上空のＧＰＳ衛星１００から送信される衛星信号は、前記最大放射方向Ｒ１から送信されるため、アンテナ本体３１で直接受信できる。
一方で、ＧＰＳ衛星１００から送信された衛星信号の一部は、ビル等で反射されて水平に近い角度でリスト機器１に入射される場合がある。このビル等で反射された衛星信号と、ＧＰＳ衛星１００から直接送信される衛星信号の両方をアンテナ３０で受信してマルチパスが生じると、受信した衛星信号の時刻のずれが生じるため、正しい時刻情報や位置情報を取得できない可能性がある。
これに対し、本実施形態では、ベゼル１６が金属製であり、かつ、ベゼル１６およびアンテナ本体３１の一部が厚さ方向Ａ１に重なっているので、衛星信号の反射波をベゼル１６で遮蔽できる。このため、マルチパスの発生を抑制でき、衛星信号の受信によって取得できる位置情報の精度も向上できる。
【００３８】
リスト機器１の表面において、ガラス１３の周囲に金属製のベゼル１６を配置している。このため、リスト機器１の顔と言える正面（表面）において、表示部２０による情報表示領域の周囲に高級感ある金属調のリングを配置でき、リスト機器１のデザイン性を向上できる。
その上、ベゼル１６は、ガラス１３を圧入した際の突条部１１２による保持を補強することができ、パッキン１５による防水性能も向上できる。
さらに、ベゼル１６でガラス１３の保持を補強できるため、突条部１１２を肉厚に形成する必要が無く、デザイン性を向上でき、ケース本体１１も小型化できて製造コストも低減できる。
【００３９】
アンテナ３０は、スペーサー２５および回路ケース２７に挟持され、特にスペーサー２５に形成された壁部２５３に前記アンテナ基板３２の突起３２１を当接させることで位置決めできるので、アンテナ３０をケース本体１１に対して前記第１隙間寸法Ｈ１、第２隙間寸法Ｈ２を確保できる位置に正確に配置できる。
さらに、アンテナ３０の保持および位置設定を、主にスペーサー２５で行っているので、外装ケース２のサイズに応じたスペーサー２５を用意することで、サイズの異なる外装ケース２に対してもアンテナ３０を所定の位置に位置決めして保持することができる。これにより、ケース本体１１、裏蓋１２、スペーサー２５以外の部品を共通化することもでき、コストを低減できる。
【００４０】
アンテナ３０のアンテナ本体３１と、ベゼル１６との厚さ方向Ａ１の第２隙間寸法Ｈ２を３．０ｍｍ以下に抑えているので、リスト機器１の厚さ寸法が大きくなることを防止できる。
さらに、前記第２隙間寸法Ｈ２を３．０ｍｍ以下に抑えることで、金属製のベゼル１６による電波遮蔽効果の低下を防止できる。すなわち、前記第２隙間寸法Ｈ２が大きくなり、ベゼル１６とアンテナ本体３１との間の隙間が大きくなると、ベゼル１６の側方を通過した電波が前記隙間部分を介してアンテナ本体３１に到達する可能性が高まり、前記マルチパスが生じる虞がある。これに対し、金属製のベゼル１６にアンテナ本体３１を近接することで、ベゼル１６による反射波の遮蔽効果を確保できる。なお、前記第２隙間寸法Ｈ２の下限値は、前記第１隙間寸法Ｈ１によって規定されるため、第１隙間寸法Ｈ１を第１寸法以上（例えば１ｍｍ以上）確保できる値にすればよい。
【００４１】
アンテナ３０の最大放射方向Ｒ１を厚さ方向Ａ１に対して４０度以上、５０度以下の範囲、具体的には４５度の方向に傾斜させているので、外装ケース２において、アンテナ３０を収納するために必要な空間の厚さ方向Ａ１の寸法と、厚さ方向Ａ１に直交する平面方向の寸法とのバランスを適切に設定でき、外装ケース２の平面サイズと厚さ寸法とを適切なサイズに設定できる。
例えば、アンテナ３０の厚さ方向Ａ１に対する傾斜角度を小さくして、最大放射方向Ｒ１を厚さ方向Ａ１に直交する方向に近づけると、アンテナ３０を外装ケース２内に配置した際の厚さ方向Ａ１の寸法が大きくなり、外装ケース２を薄型化することが困難となる。一方、アンテナ３０の厚さ方向Ａ１に対する傾斜角度を大きくして、最大放射方向Ｒ１を厚さ方向Ａ１に沿った方向に近づけると、アンテナ３０を外装ケース２内に配置した際の平面寸法が大きくなるとともに、腕に装着してランニングなどをしている際の最大放射方向Ｒ１が水平方向に近づくため、衛星信号の受信感度も低下する。
これらに対し、本実施形態のようにアンテナ３０を厚さ方向Ａ１に対して４０〜５０度の範囲に構成すれば、外装ケース２を適切なサイズに納めることができ、かつ、衛星信号の受信感度の確保できる。
【００４２】
［変形例］
なお、本発明は前記実施形態に限定されず、本発明の要旨の範囲内で種々の変形実施が可能である。
リスト機器１の透光性部材（ガラス１３）、表示部２０、ベゼル１６は円形のものに限らず、楕円形状や矩形形状などの形状でもよい。外装ケース２は、これらの形状に合わせて設計すれば良い。
【００４３】
アンテナ３０は、前記実施形態の構成に限定されない。例えば、アンテナ本体３１は、グランド電極、誘電体層、放射電極を直接貼り合わして積層されたものに限定されず、これらの層間に他の基板等が挿入されている構成でもよい。
【００４４】
リスト機器１におけるアンテナ３０の配置位置は、外装ケース２において表示部２０の６時側に限定されず１２時側でもよい。この場合、リスト機器１の外装ケース２を手首の内側に配置することができる。
また、アンテナ３０の固定構造は、前記実施形態のスペーサー２５および回路ケース２７で挟持する構造に限定されず、アンテナ基板３２を回路ケース２７やスペーサー２５にネジ止めするなどの他の固定構造を用いてもよい。ただし、前記実施形態の構成によれば、組立性を向上できる利点がある。
【００４５】
第１隙間寸法Ｈ１は１ｍｍ以上に限定されない。少なくとも０ｍｍ以上であり、アンテナ本体３１がベゼル１６に対して、最大放射方向Ｒ１に重ならなければ良い。ただし、図７〜１０に示すように、１ｍｍ以上に設定すれば受信性能を向上できる利点がある。
【００４６】
リスト機器としては、前記実施形態に限らず、アンテナ３０を有する電子腕時計等でもよい。また、アンテナ内蔵携帯機器としては、腕に装着するリスト機器に限定されず、懐中時計や携帯型電子機器などに適用することも可能である。
表示部２０の表示パネルとしては、液晶パネル２１に限定されず、有機ＥＬパネル（有機エレクトロルミネッセンスパネル）やＥＰＤ（Electrophoretic Display）などのリスト機器１に組み込み可能な小型、薄型のディスプレイであればよい。
【符号の説明】
【００４７】
１…アンテナ内蔵携帯機器であるリスト機器、２…外装ケース、３…バンド、１１…ケース本体、１２…裏蓋、１３…透光性部材であるガラス、１６…ベゼル、２０…表示部、２１…表示パネルである液晶パネル、２２…パネル枠、２５…スペーサー、２６…回路基板、２７…回路ケース、２８…二次電池、２９…振動モーター、３０…アンテナ（パッチアンテナ）、３１…アンテナ本体、３２…アンテナ基板、３３…同軸ケーブル、１００…ＧＰＳ衛星、１１１…突起部、１１２…突条部、１６１…溝部、２５２…傾斜面、２５３…壁部、２７２…傾斜面、３１１…放射面、３２１…突起、３１１１…一辺、Ａ１…厚さ方向、Ｈ１…第１隙間寸法、Ｈ２…第２隙間寸法、Ｒ１…最大放射方向、Ｒ２…最大放射方向に直交する方向。
【図１】
2015081825.tif 000003
【図２】
2015081825.tif 000004
【図３】
2015081825.tif 000005
【図４】
2015081825.tif 000006
【図５】
2015081825.tif 000007
【図６】
2015081825.tif 000008
【図７】
2015081825.tif 000009
【図８】
2015081825.tif 000010
【図９】
2015081825.tif 000011
【図１０】
2015081825.tif 000012